(57)【要約】【課題】フォーキャスト情報を選択し表示できることにより、部品の発注リードタイムを短縮する。【解決手段】各完成製品を識別する製品コードと部品コードと部品の情報とが記憶される記憶手段５０と、部品個々の必要期限を含む未発注の部品情報を提示する未発注情報提示手段１０、１４、２０、３０、５０と、実注文手配済みの必要期限を含む部品情報を部品コードを用いて提示する実注文情報提示手段１０、１４、３０、４０、５０と、未発注情報提示手段の部品情報および実注文情報提示手段の部品情報を公開する公開手段１０、１４、６０、７０、８０、８１とを具備し、公開手段は、発注済みかつ未納品の注残の部品の第１の情報と、未発注であり発注予定の部品の第２の情報と、注残の部品および発注予定の部品を合わせた部品の第３の情報と、第１の情報および第２の情報および第３の情報を並べた第４の情報のうちの選択された何れかの情報を公開する。【選択図】図１
2010061317.tif 000002
【特許請求の範囲】
【請求項１】
各完成製品を識別する製品コードと前記各完成製品を構成する個別の部品を識別する部品コードと前記部品の情報とが記憶される記憶手段と、
前記完成製品を、その要求納期を基準に前記製品コードと前記部品コードを用いて部品レベルに展開した前記部品個々の必要期限を含む未発注の部品情報を提示する未発注情報提示手段と、
実注文手配済みの前記部品レベルに展開した部品の必要期限を含む部品情報を前記部品コードを用いて提示する実注文情報提示手段と、
前記未発注情報提示手段の部品情報および前記実注文情報提示手段の部品情報を公開する公開手段とを具備し、
前記公開手段は、発注済みかつ未納品の注残の部品に関する第１の情報と、未発注であり発注予定の部品に関する第２の情報と、前記注残の部品および前記発注予定の部品を合わせた部品に関する第３の情報と、前記第１の情報および前記第２の情報および前記第３の情報を並べた情報である第４の情報のうちの選択された何れかの情報を公開する
ことを特徴とするフォーキャスト管理システム。
【請求項２】
前記完成製品は複数あり、該複数の完成製品を構成する部品に共通部品が有る場合、
前記未発注情報提示手段と前記実注文情報提示手段は、それぞれ前記共通部品毎に数量を合計し、
前記公開手段は、前記未発注情報提示手段および前記実注文情報提示手段によりそれぞれ合計された前記共通部品の情報に基づいて、前記選択された何れかの情報を公開する
ことを特徴とする請求項１に記載のフォーキャスト管理システム。
【請求項３】
前記公開手段は、予め利用者に付与した識別情報を用いてアクセスされる場合に、前記選択された何れかの情報を公開する
ことを特徴とする請求項１に記載のフォーキャスト管理システム。
【請求項４】
前記公開手段は、前記部品を取り扱う部品取引先毎に前記選択された何れかの情報を公開する
ことを特徴とする請求項１に記載のフォーキャスト管理システム。
【請求項５】
前記記憶手段には、前記部品の発注から該部品の納品までの期間を示す発注リードタイムと、前記部品のフォーキャストを公開した日を起点として前記部品の引取責任が発生する期間を示す物量確定リードタイムと、前記部品の引取猶予期間を表す引取延期可能期間とが記憶され、
前記公開手段は、前記発注リードタイムと前記物量確定リードタイムと前記引取延期可能期間とを公開する
ことを特徴とする請求項１に記載のフォーキャスト管理システム。
【請求項６】
前記未発注情報提示手段および前記実注文情報提示手段は、８週先まで、または、１６週先まで、または、４週毎に２４週先まで、または、該３体系を全て同時に検索し、
前記公開手段は、前記８週先まで、または、前記１６週先まで、または、前記４週毎に２４週先まで、または、前記３体系を全て同時に、前記選択された何れかの情報を公開する
ことを特徴とする請求項１に記載のフォーキャスト管理システム。
【請求項７】
前記公開手段によって公開される前記部品の数量情報が、前回更新内容から変動の有った場合、
前記未発注情報提示手段および前記実注文情報提示手段は、週毎に判定し、
前記公開手段は、前記未発注情報提示手段および前記実注文情報提示手段の判定結果に基づき、前記選択された何れかの情報を公開する
ことを特徴とする請求項１に記載のフォーキャスト管理システム。
【請求項８】
前記公開手段は、前記選択された何れかの情報において、前回更新内容との違いを公開する
ことを特徴とする請求項１に記載のフォーキャスト管理システム。
【請求項９】
コンピュータに、
各完成製品を識別する製品コードと前記各完成製品を構成する個別の部品を識別する部品コードと前記部品の情報とを記憶手段に記憶する第１の手順、
前記完成製品を、その要求納期を基準に前記製品コードと前記部品コードを用いて部品レベルに展開した前記部品個々の必要期限を含む未発注の部品情報を提示する第２の手順、
実注文手配済みの前記部品レベルに展開した部品の必要期限を含む部品情報を前記部品コードを用いて提示する第３の手順、および
発注済みかつ未納品の注残の部品に関する第１の情報と、未発注であり発注予定の部品に関する第２の情報と、前記注残の部品および前記発注予定の部品を合わせた部品に関する第３の情報と、前記第１の情報および前記第２の情報および前記第３の情報を並べた情報である第４の情報のうちの選択された何れかの情報を公開する公開手順
を実行させるためのフォーキャスト管理システムのプログラム。
【請求項１０】
前記完成製品は複数あり、該複数の完成製品を構成する部品に共通部品が有る場合、
前記第２の手順と前記第３の手順は、それぞれ前記共通部品毎に数量を合計し、
前記公開手順は、前記第２の手順および前記第３の手順によりそれぞれ合計された前記共通部品の情報に基づいて、前記選択された何れかの情報を公開する
ことを特徴とする請求項９に記載のフォーキャスト管理システムのプログラム。
【請求項１１】
前記公開手順は、予め利用者に付与した識別情報を用いてアクセスされる場合に、前記選択された何れかの情報を公開する
ことを特徴とする請求項９に記載のフォーキャスト管理システムのプログラム。
【請求項１２】
前記公開手順は、前記部品を取り扱う部品取引先毎に前記選択された何れかの情報を公開する
ことを特徴とする請求項９に記載のフォーキャスト管理システムのプログラム。
【請求項１３】
前記第１の手順は、前記部品の発注から該部品の納品までの期間を示す発注リードタイムと、前記部品のフォーキャストを公開した日を起点として前記部品の引取責任が発生する期間を示す物量確定リードタイムと、前記部品の引取猶予期間を表す引取延期可能期間とを記憶し、
前記公開手順は、前記発注リードタイムと前記物量確定リードタイムと前記引取延期可能期間とを公開する
ことを特徴とする請求項９に記載のフォーキャスト管理システムのプログラム。
【請求項１４】
前記第２の手順および前記第３の手順は、８週先まで、または、１６週先まで、または、４週毎に２４週先まで、または、該３体系を全て同時に検索し、
前記公開手順は、前記８週先まで、または、前記１６週先まで、または、前記４週毎に２４週先まで、または、前記３体系を全て同時に、前記選択された何れかの情報を公開する
ことを特徴とする請求項９に記載のフォーキャスト管理システムのプログラム。   
【請求項１５】
前記公開手順によって公開される前記部品の数量情報が、前回更新内容から変動の有った場合、
前記第２の手順および前記第３の手順は、週毎に判定し、
前記公開手順は、前記第２の手順および前記前記第３の手順の判定結果に基づき、前記選択された何れかの情報を公開する
ことを特徴とする請求項９に記載のフォーキャスト管理システムのプログラム。
【請求項１６】
前記公開手順は、前記選択された何れかの情報において、前回更新内容との違いを公開する
ことを特徴とする請求項９に記載のフォーキャスト管理システムのプログラム。
【発明の詳細な説明】
【技術分野】
【０００１】
本発明は、生産管理における部品納期管理に対するフォーキャスト管理システム及びそのプログラムに関する。
【背景技術】
【０００２】
従来、フォーキャスト及び部品の調達方法として、特許文献１、２、３がある。
特許文献１では、必要部品の注文後に変更された生産計画に部品調達を容易に追従する方法として予約注文の発行とその後に確定注文を発行する。また、引当てられなかった数量の予約注文を設定して追加発行するシステムで対応している。
特許文献２では、フォーキャスト情報と過去の手配情報とに基づいて、調達数を算出する。
特許文献３では、製品に必要な部品を受注情報と該製品に係わる顧客仕様に基づく生産方式を意識した一括配膳、すなわち部品を形式単位に纏めて購入している。
【特許文献１】特開２００２−６３４４０号公報(請求項１〜１３、図１等)
【特許文献２】特開２００２−１４０１１０号公報(段落００１５、図１等)
【特許文献３】特開２００４−１７８１３７号公報(段落０００８〜００１０、図１等)
【発明の開示】
【発明が解決しようとする課題】
【０００３】
ところで、上述の特許文献１においては、調達の注文書が２倍以上になり複雑であり、部品取引先も２倍以上の手間がかかる。
また、特許文献２においては、多品種少量生産の場合、過去の手配情報（基準残庫方式）では、決定できないという問題がある。
【０００４】
また、特許文献３においては、必要部品を受注情報と顧客仕様に基づく生産方式を意識し、部品を形式単位にまとめて購入する方式であり、多品種少量生産には不適合である。
これらの従来の方法では、顧客が要求する製品リードタイムと比べ、製品を構成する部品のリードタイムが大きい場合、過去の使用実績により、部品の使用時期が明確になる前に発注手配を行っている。
【０００５】
そのため、実際の必要数と発注手配数との偏差が発生してしまい、必要数＜発注手配数の場合には、過剰在庫が発生する。逆に、必要数＞発注手配数の場合には、部品不足による発注リードタイム割れ発注が発生する。
従って、部品取引先や内部関係部署での日程再調整などの管理工数が増加している。
【０００６】
このように、従来、顧客が要求する製品依頼から製品出荷までの製品リードタイムに対して、該製品を構成する部品の発注から部品納品までの発注リードタイムが大きく、顧客仕様が個別に発生するような生産体系においては、一般に部品在庫や過去の使用実績による発注により顧客要求リードタイムに応えている。しかしながら、経営の観点からは部品在庫の縮減が必要であり、発注リードタイムの短縮が求められている。
また、部品取引先においても、フォーキャストされた部品を使用する製品が異なる、新たにフォーキャストされた部品であるなど取り扱う部品の生産背景が多種多様で異なるため、一般的なフォーキャスト展開では業務遂行に支障がある。そのため、部品取引先に対して生産背景に適したフォーキャスト情報を提供し、部品調達期間の無駄を排除する必要がある。
【０００７】
このようなことから、部品取引先においては、取引される部品に係るフォーキャストに関し、発注済み情報＋発注予定情報(物量確定：発注することが確定されていること)＋今後の部品発注に係る状況を全て必要とする場合、発注予定情報(物量確定：発注することが確定されていること)＋今後の部品発注に係る状況のみ必要とする場合等、情報収集のタイミングに合わせて異なる情報を検索したいニーズが、部品の発注先である部品取引先に存在する。
本発明は上記実状に鑑み、取引先が部品のフォーキャスト情報を選択し表示できることにより、部品の発注リードタイムを短縮することが可能なフォーキャスト管理システム及びそのプログラムの提供を目的とする。
【課題を解決するための手段】
【０００８】
上記目的を達成すべく、第１の本発明のフォーキャスト管理システムは、各完成製品を識別する製品コードと各完成製品を構成する個別の部品を識別する部品コードと部品の情報とが記憶される記憶手段と、完成製品を、その要求納期を基準に製品コードと部品コードを用いて部品レベルに展開した部品個々の必要期限を含む未発注の部品情報を提示する未発注情報提示手段と、実注文手配済みの部品レベルに展開した部品の必要期限を含む部品情報を部品コードを用いて提示する実注文情報提示手段と、未発注情報提示手段の部品情報および実注文情報提示手段の部品情報を公開する公開手段とを具備し、公開手段は、発注済みかつ未納品の注残の部品に関する第１の情報と、未発注であり発注予定の部品に関する第２の情報と、注残の部品および発注予定の部品を合わせた部品に関する第３の情報と、第１の情報および第２の情報および第３の情報を並べた情報である第４の情報のうちの選択された何れかの情報を公開している。
【０００９】
第２の本発明のフォーキャスト管理システムのプログラムは、コンピュータに、各完成製品を識別する製品コードと各完成製品を構成する個別の部品を識別する部品コードと部品の情報とを記憶手段に記憶する第１の手順、完成製品を、その要求納期を基準に製品コードと部品コードを用いて部品レベルに展開した部品個々の必要期限を含む未発注の部品情報を提示する第２の手順、実注文手配済みの部品レベルに展開した部品の必要期限を含む部品情報を部品コードを用いて提示する第３の手順、および発注済みかつ未納品の注残の部品に関する第１の情報と、未発注であり発注予定の部品に関する第２の情報と、注残の部品および発注予定の部品を合わせた部品に関する第３の情報と、第１の情報および第２の情報および第３の情報を並べた情報である第４の情報のうちの選択された何れかの情報を公開する公開手順を実行させている。
【００１０】
なお、請求項１の「完成製品の要求納期等を基準に部品レベルに展開し」は、例えば、図９、図１０等が相当する。また、請求項１の「部品個々の必要期限を含む未発注の部品情報を提示する」は、例えば、図１８、図３１の「物量確定」の欄の表示および「公開のみ」の欄の表示が相当し、請求項１の「実注文手配済みの前記部品レベルに展開した部品の必要期限を提示する」は、例えば、図１８、図３１の「発注」の欄の表示が相当する。
【発明の効果】
【００１１】
本発明によれば、取引先が部品のフォーキャスト情報を選択し表示できることにより、部品の発注リードタイムを短縮することが可能なフォーキャスト管理システム及びそのプログラムを実現できる。
【発明を実施するための最良の形態】
【００１２】
以下、本発明の実施形態について添付図面を参照して説明する。
＜＜フォーキャスト管理システムＳの概要＞＞
本発明に係る実施形態のフォーキャスト管理システムＳは、プリント基板等の製品使用予定数の予告に基づき、該製品に含まれる部品のＩＣ(Integrated Circuit)、コンデンサ等の購入予定数量を、需要公開、需要予測、すなわちフォーキャストして、部品の発注先である部品取引先へ公開し、多品種少量生産においても、製品を受注し該製品製作を手懸ける部品の発注元において、受注製品に使用する部品の適正発注、適正在庫を可能とするものである。
【００１３】
＜＜フォーキャスト管理システムＳの全体構成＞＞
フォーキャスト管理システムＳの全体構成について、図面を用いて説明する。
図１は、本発明に係わる実施形態のフォーキャスト管理システムＳのフォーキャスト管理装置１０を含む全体構成を示すブロック図である。
【００１４】
図１に示すように、製品を構成する部品の発注先である部品取引先へ使用部品のフォーキャストを行うフォーキャスト管理装置１０は、ＬＡＮ（Local Area Network）等の通信ネットワーク７０を介して、各製品を使用部品に展開する部品展開装置２０、在庫部品の入出庫を管理する在庫管理装置３０、発注する部品を管理する購入品管理装置４０、後記の各種データファイルが格納される情報記録部５０、および、部品の発注元に置かれフォーキャストの数を確認するため等に使用される入出力端末６０に接続されている。
【００１５】
ここで、部品展開装置２０、在庫管理装置３０、購入品管理装置４０は、各装置２０、３０、４０に対応するサーバ(図示せず)のハードディスク等の補助記憶装置に格納され、ＣＰＵ(Central Processing Unit)がそれぞれ対応するプログラムを実行することにより、実現される。
なお、部品展開装置２０、在庫管理装置３０、購入品管理装置４０は、それぞれ別のサーバの補助記憶装置に格納されていてもよいし、同一のサーバの補助記憶装置に格納されていてもよいし、また、複数の装置が同一のサーバの補助記憶装置に格納されていてもよく、各装置２０、３０、４０が格納される形態は、特に、限定されるものではない。
また、フォーキャスト管理装置１０は、部品取引先の入出力端末８１とデータ通信が可能なように、インターネット等の通信ネットワーク８０を介して、部品取引先の入出力端末８１と接続されている。
ここで、入出力端末６０、入出力端末８１は、１つの端末として示しているが、任意の複数あってもよいことは勿論である。
【００１６】
＜＜フォーキャスト管理装置１０＞＞
次に、フォーキャスト管理装置１０の構成について詳述する。
フォーキャスト管理装置１０は、ＣＰＵがフォーキャスト管理プログラムを実行することにより実現されるものであり、図１に示すように、マスター情報管理部１１、手配情報管理部１２、フォーキャスト数量管理部１３、およびフォーキャスト提示部１４が、それぞれ対応するプログラム等として実装されている。
【００１７】
フォーキャスト管理装置１０は、例えば、サーバ(図示せず)のハードディスク等の補助記憶装置に格納され、実装されたフォーキャスト管理プログラムが、ＣＰＵにより実行されることにより、マスター情報管理部１１、手配情報管理部１２、フォーキャスト数量管理部１３およびフォーキャスト提示部１４等の各機能を実現する。
ここで、フォーキャスト管理プログラムは、各管理部毎に、別のサーバに格納されてもよいし、複数の管理部をまとめて、一つのサーバに格納されてもいてもよいことは勿論である。
また、前記の部品展開装置２０、在庫管理装置３０、購入品管理装置４０のそれぞれのプログラムは、フォーキャスト管理プログラムの各部と、別のサーバに格納されてもよいし、複数または全ての管理部１１、１２、１３およびフォーキャスト提示部１４とまとめて、同一のサーバに格納されてもよい。
【００１８】
＜＜情報記録部５０＞＞
情報記録部５０は、メモリ、ハードディスク等の記憶装置である。
図２は、図１に示す情報記録部５０の構成を示す概念的構成図である。
図２に示すように、情報記録部５０には、製品予告データファイル５０１、製品部品表データファイル５０２、製品製作情報データファイル５０３、部品情報データファイル５０４、予告部品データファイル５０５、製品手配データファイル５０６、手配部品データファイル５０７、総必要部品データファイル５０８、在庫データファイル５０９、発注情報データファイル５１０、部品不足数量データファイル５１１、部品取引先情報データファイル５１２、週割部品不足数量データファイル５１３、発注ロット計算用データファイル５１４、フォーキャスト詳細情報データファイル５１５、フォーキャスト情報データファイル５１６、およびフォーキャスト引取責任データファイル５１７が格納されている。
以下、これらのデータファイル５０１〜５１７について、順を追って説明する。
【００１９】
＜＜製品予告データファイル５０１＞＞
図３は、図２の情報記録部５０に格納される製品予告データファイル５０１の構成を示す図である。
製品予告データファイル５０１は、要求される製品の予告をするものである。
図３に示すように、製品予告データファイル５０１には、製品の予告データを識別するための予告番号、製品を識別するための製品コード、該予告番号により予告された製品コードの製品の数量である製品予告数量、および該製品予告数量の要求納期である製品予告要期が関連付けられている。
【００２０】
ここでは、予告番号として、「Ｙ００１」、「Ｙ００２」、…等のコードが用いられており、製品コードとして、「Ｓ００１」、「Ｓ００２」、…等のコードが用いられている。
例えば、予告番号「Ｙ００１」は、製品コード「Ｓ００１」の製品を２００７年６月１日に１０個要求され、製品コード「Ｓ００２」の製品を２００７年６月１日に２０個要求されていることを予告している。
【００２１】
＜＜製品部品表データファイル５０２＞＞
図４は、図２の情報記録部５０に格納される製品部品表データファイル５０２の構成を示す図である。
製品部品表データファイル５０２は、製品についての部品展開技術を用いて作成されるものであり、各製品がどんな部品を用いているかを示している。
図４に示すように、製品部品表データファイル５０２には、製品コード、該製品コードの製品を製作するのに必要な部品を識別する部品コード、該部品コードの部品の数量が関連付けられている。ここでは、部品コードとして、「Ｂ００１」、「Ｂ００２」、…等のコードが用いられている。
【００２２】
例えば、製品コード「Ｓ００１」の製品は、部品コード「Ｂ００１」の部品を１個、部品コード「Ｂ００２」の部品を１個、部品コード「Ｂ００３」の部品を２個必要とすることを示している。
但し、ここで例示した関係は、製品コードと部品コードの関係が１階層の簡単な事例であり、一般的なｎ階層(ｎは正の整数)の展開は周知の技術で定義されるデータファイルを備えることにより、製品コードから部品コードヘの展開が実現できる。
【００２３】
＜＜製品製作情報データファイル５０３＞＞
図５は、図２の情報記録部５０に格納される製品製作情報データファイル５０３の構成を示す図である。
製品製作情報データファイル５０３は、各製品が、部品が揃っている場合に、何日で製作できるかを示している。この製作日数を製作リードタイムと呼称する。
製品リードタイムとは、製品を製作するのに必要な部品が揃っている状態で、製品の製作作業着手から完成までにかかる期間であり、日数を表す数字が用いられる。
図５に示すように、製品製作情報データファイル５０３には、製品コード、該製品コードの製品の製作リードタイムが関連付けられている。
【００２４】
＜＜部品情報データファイル５０４＞＞
図６は、図２の情報記録部５０に格納される部品情報データファイル５０４の構成を示す図である。
部品情報データファイル５０４は、各部品の下記の属性を示している。
図６に示すように、部品情報データファイル５０４には、部品コード、該部品コードの部品名、部品取引先への部品発注数量の最低単位である発注ロット、発注日から納品日までの日数を表す発注リードタイム、フォーキャストを公開した日を起点として部品の引取責任が発生する期間を日数で表す物量確定リードタイム、部品の引取猶予期間を表す引取延期可能期間、部品の発注日のサイクルを表す発注周期、部品の納品日から該部品の検査等にかかる日数を表す受入試験日数、該部品の取引先を識別する部品取引先コード、フォーキャスト対象部品の場合に「Ｙes」が入るフォーキャスト対象部品フラグが関連付けられている。
【００２５】
発注リードタイム、物量確定リードタイム、および引取延期可能期間は、フォーキャスト運用における部品取引先との契約であり、日数で表している。
要求納期により、日別の各部品の需要予測数量、すなわち、山積みされたフォーキャスト数量が、フォーキャストを公開した日から物量確定リードタイムの間にあると、期間内に公開したフォーキャスト数量は、引取責任が発生する。なお、引取責任とは、発注側がフォーキャストした部品を引取る責任のことをいう。何故なら、発注側が部品をフォーキャストすると、部品取引先側は、フォーキャストされた部品を予め準備することになるため、引取責任を定めている。
引取責任発生時点で、部品の要求納期から発注リードタイムを引いた日付を発注予定日と定義し、フォーキャスト数量および要求納期に変動がなければ、発注予定日に部品取引先へ発注、すなわち注文書を発行する。
【００２６】
引取責任発生により、フォーキャスト数量が減少し発注の必要が無くなった場合でも、引取責任により、発注予定日から部品の引取猶予期間である引取延期可能期間が経過する日までに発注を行わなければならない。
例えば、発注リードタイム「５日」、物量確定リードタイム「１０日」、引取延期可能期間「１５日」、の部品を１月１日にフォーキャスト公開したとすると、部品の要求納期が１月１１日までの期間にあるフォーキャスト数量については、引取責任が発生する。仮に要求納期が１月１０日とすれば、引取責任が発生したフォーキャスト数量は、発注リードタイム「５日」であることから、５日前の１月５日を発注予定日と定義し、遅くとも１月２０日までに発注しなければならない。
【００２７】
発注周期は、部品取引先へ部品発注を行う間隔、すなわち部品取引先へ部品発注のサイクルを日数で表す。例えば、週に１度の発注を行う場合、発注間隔は「７日」となる。
発注周期の利用目的は、発注予定日の何日前に発注するかを決めるためである。毎日発注する運用の場合は、発注予定日通りに発注できるため不要な項目であるが、仮に「７日」が発注周期の場合には、発注予定日が発注日から６日以内のものを発注する必要がある。そうしなければ、７日後の発注は、次回の７日を経た発注日まで発注を行わないので、最悪、プラス７日遅れの発注となり、発注予定日を過ぎたものとなってしまうからである。
【００２８】
受入試験日数は、部品が部品の発注元に着荷してから受入れ検査等の工程を経て製品の製作に使用できるまでの日数である。部品取引先コードは、部品コード毎に定義した部品取引先であり、各部品の取引先を示しており、フォーキャスト公開を行う部品取引先である。
フォーキャスト対象部品フラグは、引取責任を前提とするフォーキャスト運用を実施するかどうかを表すフラグであり、「Ｙｅｓ」の場合は、前述した契約に従い引取責任が発生するが、「Ｎｏ」の場合は、部品の要求納期の山積みを公開するだけで、引取責任は発生しない。
【００２９】
例えば、部品コード「Ｂ００１」は部品名「ＡＡＡ」であり、発注の最小単位数量である発注ロットは「１０」、発注日から納品日までの期間の発注リードタイムは「３０日」、フォーキャスト公開してから引取責任が発生する期間を表す物量確定リードタイムは「６０日」、部品の引取猶予期間である引取延期可能期間は「３０日」、発注サイクルである発注周期は「７日」、部品の着荷から受入れ検査等の工程を経て製作に使用可能な製作受入試験日数は「０日」、部品引取先コードは「Ｍ００１」、フォーキャスト対象部品フラグが「Ｙｅｓ」であることからフォーキャスト対象部品であることを示している。
【００３０】
＜＜予告部品データファイル５０５＞＞
図７は、図２の情報記録部５０に格納される予告部品データファイル５０５の構成を示す図である。
予告部品データファイル５０５は、図３の製品予告データファイル５０１に示す各予告番号毎の製品を部品に展開した結果を表している。
図７に示すように、予告部品データファイル５０５には、前記の予告番号、この予告番号に含まれる製品の製品コード、この予告された製品コード毎に割振られる一貫ＮＯの予告技番、該製品を構成する部品の部品コード、該部品コードの部品の部品予告数量、該部品の部品予告要期が関連付けられている。
【００３１】
なお、予告枝番は、「０１」、「０２」、…等のコードが用いられている。例えば、予告番号「Ｙ００１」で予告した製品コード「Ｓ００１」には、製品コード「Ｓ００１」が１番目であることから予告技番「０１」が割振られており、予告番号「Ｙ００２」で予告した製品の製品コード「Ｓ００１」には、製品コード「Ｓ００１」が２番目であることから予告枝番「０２」が割振られている。
部品予告数量は、予告番号で予告した製品コードの製品を製作するのに必要な部品数量であり、図３の製品予告データファイル５０１の製品予告数量と図４の製品部品表データファイル５０２の各製品に用いられる部品の数量との積により、部品表展開した計算値である。
【００３２】
製品部品表データファイル５０２(図４参照)に関する説明で前述したように、製品の一般的なｎ階層の部品への展開は、周知の技術で部品展開を行い図７に示す予告部品データファイル５０５を作成するものとする。
部品予告要期は、予告番号で予告した製品コードの製品を製作するのに必要な部品の要求納期である。この部品予告要期は、図３の製品予告データファイル５０１の製品予告要期から図５の製品製作情報データファイル５０３の製作リードタイムを工場稼働日で遡り、さらに図６に示す部品情報データファイル５０４の受入試験日数を遡った日付である。
【００３３】
ここで、データファイル間の関係は、製品予告データファイル５０１(図３参照)の製品コードで製品製作情報データファイル５０３(図５参照)の製品コードを参照し製作リードタイムを求め、予告部品データファイル５０５(図７参照)の部品コードで部品情報データファイル５０４(図６参照)の部品コードを参照し受入試験日数を求めるものである。
例えば、図７に示すように、予告番号「Ｙ００１」の製品コード「Ｓ００１」を製作するためには部品コード「Ｂ００１」が２００７年５月２５日に１０個必要であることを示している。
【００３４】
＜＜製品手配データファイル５０６＞＞
図８は、図２の情報記録部５０に格納される製品手配データファイル５０６の構成を示す図である。
製品手配データファイル５０６は、手配を表す手配番号で手配する製品の数量、納期等の詳細を示している。
図８に示すように、製品手配データファイル５０６には、製品の手配データを識別する手配番号、製品コード、当該手配番号により手配される製品コードの製品の数量を表す製品手配数量、該手配数量の要求納期である製品手配要期が関連付けられている。
手配番号は、「Ｔ００１」、「Ｔ００２」、…等のコードが用いられている。例えば、図８の手配番号「Ｔ００１」は、製品コード「Ｓ００１」の製品を、製品手配要期の２００７年５月２１日に１０個手配する必要があることを示している。
【００３５】
＜＜手配部品データファイル５０７＞＞
図９は、図２の情報記録部５０に格納される手配部品データファイル５０７の構成を示す図である。
手配部品データファイル５０７は、上記の手配の製品を部品レベルに展開したものである。
図９に示すように、手配部品データファイル５０７には、前記の手配番号(図８参照)、手配番号で手配した製品の製品コード、手配された製品コード毎に割振られる一貫ＮＯの手配枝番、該製品に含まれる部品の部品コード、該部品の部品手配数量、部品が必要とされる納期である部品手配要期が関連付けられている。なお、手配枝番は、「Ａ１」、「Ａ２」、…等のコードが用いられている。
【００３６】
例えば、手配番号「Ｔ００２」で手配した製品コード「Ｓ００２」には、「Ｓ００２」が１番目に現れる手配番号であることから、手配枝番「Ａ１」が割振られており、手配番号「Ｔ００３」で手配した製品コード「Ｓ００２」には、「Ｓ００２」が２番目に現れる手配番号であることから、手配枝番「Ａ２」が割振られている。
部品手配数量は、手配番号で手配した製品コードの製品を製作するのに必要な手配する部品数量であり、図８の製品手配データファイル５０６の製品手配数量と図４の製品部品表データファイル５０２の各製品に用いられる部品の数量とを積算して、部品表展開した計算値である。
部品手配要期は、手配番号で手配した製品コードの製品を製作するのに必要な部品の要求納期である。この部品手配要期は、図８の製品手配データファイル５０６の製品手配要期から図５の製品製作情報データファイル５０３の製作リードタイムを工場稼働日で遡り、さらに図６の部品情報データファイル５０４の受入試験日数を遡った日付である。
【００３７】
ここで、データファイル間の関係は、図８の製品手配データファイル５０６の製品コードで図５の製品製作情報データファイル５０３の製品コードを参照し製作リードタイムを求め、図９の手配部品データファイル５０７の部品コードで図６の部品情報データファイル５０４の部品コードを参照し受入試験日数を求めるものとする。
例えば、図９に示すように、手配番号「Ｔ００１」の製品コード「Ｓ００１」を製作するためには、部品コード「Ｂ００１」の部品が、部品手配要期の２００７年５月１４日に１０個必要であることを示している。
【００３８】
＜＜総必要部品データファイル５０８＞＞
図１０は、図２の情報記録部５０に格納される総必要部品データファイル５０８の構成を示す図である。
総必要部品データファイル５０８は、図７の予告部品データファイル５０５および図９の手配部品データファイル５０７を合わせて作成されるものである。
総必要部品データファイル５０８は、手配番号または予告番号毎に、部品コード、部品要期単位に管理する。
【００３９】
また、手配部品データファイル５０７(図９参照)のデータは、発注元が発注した部品を使用する製品を自社製作するためのデータとして総必要部品データファイル５０８に登録される。
なお、発注元が部品取引先にフォーキャストする部品は、発注元が自社製作する製品に使用する部品と、発注元が製品製作を外注して該製品製作の外注メーカが製品を製作する際に使用する部品とを含んでいる。
【００４０】
図１０に示すように、総必要部品データファイル５０８には、手配番号または予告番号の手配・予告番号、前記の製品コード、枝番、該枝番に含まれる部品の部品コード、該部品の部品数量、該部品の部品要期が関連付けられている。
手配・予告番号は予告部品データファイル５０５(図７参照)の予告番号または手配部品データファイル５０７(図９参照)の手配番号である。枝番は予告部品データファイル５０５(図７参照)の予告枝番または手配部品データファイル５０７(図９参照)の手配枝番である。部品数量は、予告部品データファイル５０５(図７参照)の部品予告数量または手配部品データファイル５０７(図９参照)の部品手配数量である。部品要期は、予告部品データファイル５０５(図７参照)の部品予告要期または手配部品データファイル５０７(図９参照)の部品手配要期である。
図１０では、製品コード「Ｓ００１」の製品に対し、部品コード「Ｂ００１」の部品、「Ｂ００２」の部品、「Ｂ００３」の部品が、製品コード「Ｓ００１」の枝番「０１」にそれぞれ示されるように、部品要期に示される「０７／０５／２５」の同じ要期に必要であることを示している
【００４１】
＜＜在庫データファイル５０９＞＞
図１１は、図２の情報記録部５０に格納される在庫データファイル５０９の構成を示す図である。
在庫データファイル５０９は、部品コードの部品が倉庫に幾つあるかを示している。
図１１に示すように、在庫データファイル５０９には、部品を表す部品コード、該部品コードの部品の在庫数量が関連付けられている。なお、在庫数量は、前記の在庫管理装置３０(図１参照)により、周知の技術により部品の入出庫が管理され最新の在庫数量が登録されている。
例えば、部品コード「Ｂ００１」の在庫数量は１２個であることを示している。
なお、発注元が、部品取引先に対してフォーキャストする部品を使用する製品の製作を依頼する製作メーカがもつ該部品の在庫についても、製作メーカの在庫情報を通信ネットワーク８０等を通じて受信し、在庫データファイル５０９に登録するものとする。
【００４２】
＜＜発注情報データファイル５１０＞＞
図１２は、図２の情報記録部５０に格納される発注情報データファイル５１０の構成を示す図である。
発注情報データファイル５１０は、発注した部品の詳細情報を、発注番号毎に示したものである。
図１２に示すように、発注情報データファイル５１０には、発注の単位である発注番号、該発注番号で発注した部品の部品コード、該発注番号で発注したときの発注数量、発注数量から着荷した数量を減じた発注残数量、部品取引先へ発注を行った日である発注日、発注日から納品日までの日数の発注リードタイム、部品取引先へ要求した期限の要求納期、下記の要期年週、要求納期と発注日の差日数である発注期間、該発注番号に対して部品取引先が回答した納入可能な日付の回答納期が関連付けられている。なお、回答納期より前の日に、部品が部品取引先から納品される場合がある。
【００４３】
ここで、発注リードタイムは、図６の部品情報データファイル５０４を部品コードで参照し求めた発注リードタイムである。要期年週は、毎年１月１日を含む週を第１週とし、翌年の１月１日を含む週の前週まで年毎に一貫ＮＯで定義する。例えば、２００７年１月１日は０７年１週であり、２００７年１月８日は０７年２週である。
発注期間は、前述のとおり、要求納期と発注日の差日数であり、後述の処理にて発注リードタイムを確保した発注か発注リードタイムを確保していない短納期発注かを区別するための項目である。つまり、発注期間が、発注日から納品日までの期間である既定の発注リードタイムより短いときは短納期発注となり、後にリードタイム割れと表現する。
この発注情報データファイル５１０(図１２参照)は、下記の図１３の部品不足数量データファイル５１１の発注予定数量から作成する場合と、任意のタイミングで発注担当者が部品コード、発注数量、要求納期を指定し作成する場合がある。
【００４４】
＜＜部品不足数量データファイル５１１＞＞
図１３は、図２の情報記録部５０に格納される部品不足数量データファイル５１１の構成を示す図である。
部品不足数量データファイル５１１は、必要な部品毎に、該部品の必要期限である納期の部品要期毎の詳細情報を示したものである。
図１３に示すように、部品不足数量データファイル５１１には、製品に使用される発注した部品の部品コード、該部品の発注日から納品日までの既定の発注リードタイム、発注周期、部品の納品日から検査等を経て製品製作に使用可能となる期間を表す受入試験日数、最低発注数である発注ロット、部品納期である部品要期、本日から部品要期までの日数、該部品要期の部品数量、在庫部品を引当てた在庫引当数量、部品数量から在庫引当数量を減じた在庫引当後残数量、下記の発注残引当数量、在庫引当後残数量から発注残引当数量を減算した発注残引当後残数量、下記の不足数量（ロット計算前）の発注予定数量、下記の不足数量（ロット計算前）のフォーキャスト予定数量が関連付けられている。
【００４５】
部品コード、部品要期および部品数量は、図１０の総必要部品データファイル５０８を参照し求めたものである。発注リードタイム、発注周期、受入試験日数、および発注ロットは、図６の部品情報データファイル５０４を部品コードで参照し求めたものである。
「要期までの日数」は、部品の必要期限である部品要期と部品不足数量データファイル５１１(図１３参照)の作成日、すなわちフォーキャストデータ作成日との差日数である。
在庫引当数量は、図１１の在庫データファイル５０９を部品コードで参照した在庫数量が０になるまで、図１３の部品不足数量データファイル５１１の部品要期の早い順に部品数量へ引当てた結果の数量である。
【００４６】
発注残引当数量は、図１２の発注情報データファイル５１０を部品コードで参照して発注残数量の合計値を算出し、図１３の部品不足数量データファイル５１１の部品要期の早い順に在庫引当後残数量へ引当てた結果の数量である。
不足数量（ロット計算前）の発注予定数量は、「要期までの日数」と「発注リードタイム＋発注周期＋受入試験日数」を比較し、「要期までの日数」が「発注リードタイム＋発注周期＋受入試験日数」と同じか、「発注リードタイム＋発注周期＋受入試験日数」よりも小さい場合に、「発注残引当後残数量」を設定する。
不足数量（ロット計算前）のフォーキャスト予定数量は、「要期までの日数」と「発注リードタイム＋発注周期＋受入試験日数」を比較し、「要期までの日数」が「発注リードタイム＋発注周期＋受入試験日数」より大きい場合に、「発注残引当後残数量」を設定する。
【００４７】
＜＜部品取引先情報データファイル５１２＞＞
図１４は、図２の情報記録部５０に格納される部品取引先情報データファイル５１２の構成を示す図である。
部品取引先情報データファイル５１２は、部品の取引先がフォーキャスト契約締結日で表されるフォーキャスト公開を開始した日を示している。
【００４８】
図１４に示すように、部品取引先情報データファイル５１２には、部品取引先を識別する部品取引先コード、該コードの部品取引先名、フォーキャスト公開日であるフォーキャスト契約締結日と関連付けられている。
フォーキャスト契約締結日は、部品取引先に対して引取責任を前提とするフォーキャスト公開を開始した日である。
例えば、部品取引先コード「Ｍ００１」の部品取引先名は「Ａ社」であり、フォーキャスト契約締結日、すなわち、部品取引先に対して引取責任を前提とするフォーキャスト公開を開始した日は２００７年２月２２日であることを示している。
【００４９】
＜＜週割部品不足数量データファイル５１３＞＞
図１５は、図２の情報記録部５０に格納される週割部品不足数量データファイル５１３の構成を示す図である。
週割部品不足数量データファイル５１３は、図１３に示す部品不足数量データファイル５１１のフォーキャストの有るもの、すなわち、不足数量（ロット計算前）のフォーキャスト予定数量が有るもののみを抜き出したものである。
【００５０】
図１５に示すように、週割部品不足数量データファイル５１３には、製品に使用するためにフォーキャストを行う部品の部品コード、該部品の部品要期、毎年１月１日を含む週を第１週として翌年の１月１日を含む週の前週まで年毎に一貫ＮＯで定義したフォーキャスト公開したフォーキャスト公開年週、下記のフォーキャスト公開週、フォーキャスト予定数量が関連付けられている。
【００５１】
フォーキャスト公開週は、フォーキャスト公開期間を週毎に区切り、図１５の例では、日曜日から始まり土曜日で終わりの週毎で区切り、フォーキャスト公開日を＋１週として以降週毎に一貫ＮＯを設定したものである。
このように、図１５の週割部品不足数量データファイル５１３は、図１３の部品不足数量データファイル５１１のデータのうち、不足数量（ロット計算前）のフォーキャスト予定数量が１以上のデータを抽出したものを示している。
【００５２】
＜＜発注ロット計算用データファイル５１４＞＞
図１６は、図２の情報記録部５０に格納される発注ロット計算用データファイル５１４の構成を示す図である。
図１６に示すように、発注ロット計算用データファイル５１４には、前記のフォーキャスト公開週およびフォーキャスト公開した部品の部品コード毎に、発注ロット、前記のフォーキャスト予定数量、下記の前回提示物量確定数量、下記の今回発注数量考慮数量、下記のロット数考慮前数量、フォーキャスト数量が関連付けられている。
発注ロットは、図６の部品情報データファイル５０４を部品コードで参照したものであり、前記したように、発注する部品の最小単位の数量である。
フォーキャスト予定数量は、図１５の週割部品不足数量データファイル５１３を部品コードで参照しフォーキャスト公開週毎にフォーキャスト予定数量を集計した合計数量である。
【００５３】
前回提示物量確定数量は、前回の更新時に作成した、発注ロット計算用データファイル５１４(図１６参照)のフォーキャスト数量のうち物量確定していた数量、すなわち引取責任が発生した数量である。
今回発注数量考慮数量は、前回提示物量確定数量を日付の古い順に前回フォーキャスト更新日以降の発注数量合計数量で減算した数量である。この発注数量合計数量は、図１２の発注情報データファイル５１０を部品コードおよび前回フォーキャスト更新日以降の発注日で参照した発注数量の合計値である。
【００５４】
ロット数考慮前数量、すなわち、今回(当週)、フォーキャストを行うロット数を考慮しない部品の数量の算出は、まず、第ｎ週までのフォーキャスト予定数量累計数をΣＡ（ｎ）、第ｎ週までの今回発注数量考慮数量をΣＢ（ｎ）、第ｎ週までのロット数考慮前数量をΣＣ（ｎ）と定義する。第ｎ週のロット数考慮前数量Ｃ（ｎ）は、ΣＡ（ｎ）とΣＢ（ｎ）の大きい方の数量から、ΣＣ（ｎ−１）を減算した数量である。
例えば、当週のロット数考慮前数量、すなわち今回(当週)フォーキャストを行うロット数を考慮しない部品の数量は、当週までのフォーキャスト予定数量累計数と当週までのロット数考慮前数量との大きい方の数量から、前週までのロット数考慮前数量を減算した数量である。このように、当週までのフォーキャスト予定数量累計数と取引責任が発生した部品の累計数量との大きい方の数量から、前週までのフォーキャスト予定数量累計数を減算して、当週のフォーキャスト予定数量を算出することにより、２重に重複し部品を余分に購入することがないように構成している。
【００５５】
フォーキャスト数量の算出は、第ｎ週までのロット数考慮前数量をΣＣ（ｎ）とした場合、第ｎ週のフォーキャスト数量Ｄ（ｎ）は、発注ロットの倍数であって、ΣＣ（ｎ）−ΣＣ（ｎ−１）以上の数量で最小の数である。
また、図１６に示すように、部品コード、および当週を基点に以後の年週毎に「発注」、「物量確定」および「公開のみ」の範囲を定義する。例えば、来週は、＋１週、再来週は、＋２週、…となる。
「発注」と「物量確定」の範囲は、部品情報データファイル５０４(図６参照)を部品コードで参照し、フォーキャスト対象フラグが「Ｙｅｓ」のとき、かつ、フォーキャスト契約データファイルである部品取引先情報データファイル５１２(図１４参照)のフォーキャスト契約締結日が設定済のときのみ定義される。フォーキャスト対象フラグが「Ｎｏ」(図６参照)およびフォーキャスト契約締結日(図１４参照)が空欄の条件を満たさない部品コードは、全ての公開範囲が「公開のみ」と定義される。「物量確定」の範囲は、定義されず、「発注」と「公開のみ」の範囲だけが定義される。
【００５６】
フォーキャスト対象フラグ(図６参照)およびフォーキャスト契約締結日(図１４参照)の条件を満たしている場合、「発注」は、まず、日単位で「発注」の範囲を求め、日単位の「発注」の範囲より週単位の「発注」の範囲を求める。日単位の「発注」の範囲は、フォーキャスト公開日を起点として、図６の部品情報データファイルを部品コードで参照した発注日から納品日までの期間である発注リードタイムを加算した日までの期間である。
週単位の「発注」の範囲は、各フォーキャスト公開週に含まれる全ての日付が日単位の「発注」の範囲に含まれている場合、そのフォーキャスト公開週は「発注」の範囲とみなす。例えば、日曜日始まり土曜日終わりの週割で、水曜日が日単位の「発注」の範囲とすれば、フォーキャスト公開週に含まれる全ての日付が日単位の「発注」の範囲に含まれる場合であるため、前週までが週単位の「発注」の範囲である。
【００５７】
また、例えば、日曜日始まり土曜日終わりの週割で、土曜日が日単位の「発注」の範囲とすれば、フォーキャスト公開週に含まれる全ての日付が日単位の「発注」の範囲に含まれるため、当週までが週単位の「発注」の範囲である。
「物量確定」は、まず、日単位で「物量確定」の範囲を求め、日単位の「物量確定」の範囲より週単位の「物量確定」の範囲を求める。日単位の「物量確定」の範囲は、フォーキャスト公開日を起点として、図６の部品情報データファイル５０４を部品コードで参照した引取責任が発生する期間の物量確定リードタイムを加算した日までの期間である。なお、週単位の「物量確定」の範囲は、各フォーキャスト公開週に含まれる全ての日付が日単位の「物量確定」の範囲に含まれている場合、そのフォーキャスト公開週は「物量確定」の範囲とみなす。
【００５８】
「公開のみ」は、「発注」および「物量確定」の範囲以外の範囲の期間が該当する。
最後に、物量確定の範囲が存在する部品コードについては、「発注」の範囲にあるフォーキャスト数量の合計を、物量確定エリアの最左にある週のフォーキャスト数量に加算し、「発注」の範囲のフォーキャスト数量を０にする。
これは、引取責任が発生した数量の、引取延期可能期間による発注延期は、「発注」の範囲ではなく、「物量確定」の範囲で表示することを示している。
【００５９】
＜＜フォーキャスト詳細情報データファイル５１５＞＞
図１７は、図２の情報記録部５０に格納されるフォーキャスト詳細情報データファイル５１５の構成を示す図である。
フォーキャスト詳細情報データファイル５１５は、前回のフォーキャストと今回、すなわち当週のフォーキャストとの詳細情報を示している。
フォーキャスト詳細情報データファイル５１５は、部品コード毎に、着荷済(発注して納品済)、発注済みだが納品してない注残、未発注であり発注予定の数量を示す。
図１７に示すように、フォーキャスト詳細情報データファイル５１５は、前記のフォーキャスト公開週およびフォーキャストされた部品コード毎に、前回注残（通常発注；発注リードタイムを守れたものを示す）、前回注残（リードタイム割れ；発注リードタイム割れの短納期を示す）、前回発注予定、今回注残（通常発注）、今回注残（リードタイム割れ）、今回発注予定が関連付けられている。
【００６０】
前回注残（通常発注）は、前回更新時のフォーキャスト詳細情報データファイル５１５の同一要期年週の今回注残（通常発注）を設定する。
前回注残（リードタイム割れ）は、前回更新時のフォーキャスト詳細情報データファイル５１５の同一要期年週の今回注残（リードタイム割れ）を設定する。
前回発注予定は、前回更新時のフォーキャスト詳細情報データファイル５１５の同一要期年週の今回発注予定を設定する。
今回注残（通常発注）は、発注情報データファイル５１０(図１２参照)を部品コードで参照し、要期年週毎に発注期間が発注リードタイム以上のデータの発注残数量を合計した数量である。
【００６１】
今回注残（リードタイム割れ）は、発注情報データファイル５１０(図１２参照)を部品コードで参照し、要期年週毎に発注期間が発注リードタイム未満の発注残数量を合計した数量である。
今回発注予定は、発注ロット計算用データファイル５１４(図１６参照)のフォーキャスト数量を参照した、同一部品コードおよび同一要期年週の数量である。
図１７に示すように、例えば、物量確定の注残(通常発注)前回の＋７週の２０個は、今回、１週経ているので、今回の＋６週の２０個になる。なお、今回の＋７週の２０個は、新規発注のものである。
また、物量確定の注残(リードタイム割れ)前回の＋７週の２０個は、今回、１週経ているので、今回＋６週の２０個になる。なお、製品の引き合いの関係から部品取引先との契約により、今回の＋６週の２０個とせずに、今回の＋７週の２０個(図１７中に括弧で示す)とすることも可能である。この場合、今回＋６週は空欄となる。
【００６２】
また、前回発注予定の公開のみの期間の＋９週の４０個は、１週間経ているので、今回発注予定の物量確定の＋８週の４０個となる。なお、製品の引き合いの関係から部品取引先との契約により、この前回発注予定の公開のみの期間の＋９週の４０個は、今回発注予定の物量確定の＋８週の３０個と、公開のみの期間の＋９週の１０個とに別れることにしてもよい。すなわち、この４０個の部品を使用する製品の引き合い先の１顧客は、製品(３０個の部品を使用する)の出荷が計画通り進んでいるが、製品の引き合い先の他の顧客は、製品(１０個の部品を使用する)の計画が１週間遅れの場合等である。
【００６３】
また、前回発注予定の公開のみの期間の＋１１週の５０個は、１週間経ているので、今回発注予定の公開のみの期間の＋１０週の５０個となる。なお、製品の引き合いの関係から部品取引先との契約により、前回発注予定の公開のみの期間の＋１１週の５０個を、１週間経ているが、今回発注予定の公開のみの期間の＋１１週の５０個としてもよい。すなわち、この５０個の部品を使用する製品の引き合い先の顧客の計画が、１週間遅れの場合等である。この場合、今回＋１０週は空欄となる。
なお、図１７のフォーキャスト詳細情報データファイル５１５において、着荷済みの部品数量の今回更新内容と前回更新内容との違いを検索できるようにしてもよい。
【００６４】
＜＜フォーキャスト情報データファイル５１６＞＞
図１８は、図２の情報記録部５０に格納されるフォーキャスト情報データファイル５１６の構成を示す図である。
フォーキャスト情報データファイル５１６は、取引先に公開する主な画面であり、部品取引先毎に部品毎の情報、および、当週、来週の＋１週、再来週の＋２週、…、＋１５週の発注期間・物量確定期間・公開のみの期間を示している。
【００６５】
図１８に示すように、フォーキャスト情報データファイル５１６は、部品を購入する部品取引先コード別の部品コード毎に、発注リードタイム、引取責任が発生する期間の物量確定リードタイム、引取猶予期間の引取延期可能期間が関連付けられ、さらに、フォーキャスト詳細情報データファイル５１５(図１７参照)の注残（通常発注）、注残（リードタイム割れ）、発注予定を部品コードおよび公開週単位に合計した数量を示している。
部品取引先コード、発注リードタイム、物量確定リードタイムおよび引取延期可能期間は、部品情報データファイル５０４(図６参照)を部品コードで参照し取得した値である。
【００６６】
＜＜フォーキャスト引取責任データファイル５１７＞＞
図１９は、図２の情報記録部５０に格納されるフォーキャスト引取責任データファイル５１７の構成を示す図である。
フォーキャスト引取責任データファイル５１７は、引取責任が発生した物量確定リードタイムに入った部品を管理するものであり、引取責任が発生した部品を何個買わねばならないか、引取期限等を見るためのものである。
図１９に示すように、フォーキャスト引取責任データファイル５１７には、部品を識別する部品コード、該部品コードの部品の引取責任発生日、該部品コードの部品の引取責任が発生する物量確定リードタイム、該部品コードの部品の引取延期可能期間、該部品コードの部品の引取責任発生数量、該部品コードの部品の発注期限が関連付けられている。
【００６７】
引取責任発生日は、部品の引取責任が発生した日であり、フォーキャスト引取責任データファイル５１７への登録日である。
物量確定リードタイムは、図６の部品情報データファイル５０４を部品コードで参照した値である。引取延期可能期間は図６の部品情報データファイル５０４を部品コードで参照した値である。
引取責任発生数量は、図１７のフォーキャスト詳細情報データファイル５１５を部品コードで参照し、物量確定の範囲にある発注予定（今回）の合計数量を算出し、算出した数量から、前回のフォーキャスト引取責任データファイル５１７の引取責任発生数量の合計数量を減算した数量である。
【００６８】
発注期限は、引取責任発生日に物量確定リードタイムと引取延期期間を加算した日付である。部品コード毎に引取責任発生数量を計算し、０より大きい場合にフォーキャスト引取責任データファイル５１７へ登録する。
さらに、図１２の発注情報データファイル５１０を部品コード毎に発注日が前回更新日より大きいという条件で参照し、発注数量合計を算出し、図１９のフォーキャスト引取責任データファイル５１７を部品コードで参照した引取責任発生数量を、引取責任発生日が小さいものから発注するので、引取責任発生日が小さい順に、算出した発注数量合計で相殺する。引取責任発生数量が０になるか、或いは、引取責任発生日が遅く発注日が後日でよい場合に発生する発注数量合計が０になるまで相殺する。
次に、各管理部の各種動作について説明していくが、ここでは、まず、マスター情報
管理部１１における処理に関して説明する。
【００６９】
＜＜マスター情報管理部１１における製品製作情報登録処理＞＞
次に、マスター情報管理部１１における製品製作情報登録処理について、図２０を用いて説明する。なお、図２０は、製品製作情報データファイル５０３(図５参照)に登録するための製品製作情報の登録処理に関する手順を示す図である。
登録者が、図１に示す入出力端末６０を用いて、フォーキャスト管理装置１０のマスター情報管理部１１(図１参照)にログインすると、図２１に示す入力画面の製品製作情報登録画面Ｇ１が入出力端末６０に表示される。なお、図２１は、入出力端末に表示される入力画面の製品製作情報登録画面Ｇ１を示す図である。
【００７０】
図２１の製品製作情報登録画面Ｇ１には、製品コード、製作リードタイムの入力欄がある。
まず、登録者は入出力端末６０(図１参照)を用いて、図２１の製品製作情報登録画面Ｇ１の製品コード欄に、製品コードの例えば、「Ｓ００１」等を入力した後、検索ボタンをクリックする。
そうすると、製品コードのデータが送信され(図２０のＳ１１)、フォーキャスト管理装置１０は、登録者によって入力された製品コードで情報記録部５０(図１参照)に格納される図５の製品製作情報データファイル５０３を参照し(図２０のＳ１２)、製作リードタイムを取得し(図２０のＳ１３)、入出力端末６０に送信し製作リードタイムの入力欄へ表示する(図２０のＳ１４)。
【００７１】
製品製作情報データファイル５０３(図５参照)を参照した結果、該当する製品コードが存在しない場合は、図２１の製品製作情報登録画面Ｇ１の製作リードタイムの入力欄は、「空白」とする。なお、図２１では、「空白」でなく「５」が表示された場合を示している。
次に、登録者は、図２１に示すように、製作リードタイムの入力欄に、「５」を製品製作情報として入力し(図２０のＳ１５)、登録ボタンをクリックする。
そうすると、製作リードタイムのデータが送信され(図２０のＳ１６)、フォーキャスト管理装置１０(図１参照)は、登録者によって入力された製品製作情報を情報記録部５０の製品製作情報データファイル５０３(図５参照)に登録する(図２０のＳ１７)。
【００７２】
＜＜マスター情報管理部１１における部品情報登録処理＞＞
次に、マスター情報管理部１１における部品情報登録処理について、図２２を用いて説明する。なお、図２２は、部品情報データファイル５０４に登録するための部品情報の登録処理に関する手順を示す図である。
登録者が図１の入出力端末６０を用いて、フォーキャスト管理装置１０(図１参照)のマスター情報管理部１１にログインすると、図２３に示す入力画面の部品情報登録画面Ｇ２が入出力端末６０に表示される。なお、図２３は、入力画面の部品情報登録画面Ｇ２を示す図である。
図２３の部品情報登録画面Ｇ２には、部品コードの入力欄、および部品名、発注ロット、発注リードタイム、物量確定リ一ドタイム、引取延期可能期間、発注周期、受入試験日数、部品取引先コード、フォーキャスト対象部品フラグの入力欄がある。
【００７３】
まず、登録者は入出力端末６０を用いて、図２３の部品情報登録画面Ｇ２の部品コード欄に、部品コードの「Ｂ００１」等を入力(図２２のＳ２１)した後、検索ボタンをクリックする。
そうすると、部品コードのデータが送信され(図２２のＳ２２)、フォーキャスト管理装置１０(図１参照)は、登録者によって入力された部品コードで情報記録部５０の図６の部品情報データファイル５０４を参照し(図２２のＳ２３)、部品名、発注ロット、発注リードタイム、物量確定リードタイム、引取延期可能期間、発注周期、受入試験日数、部品取引先コード、フォーキャスト対象部品フラグ等の検索結果を取得し(図２２のＳ２４)、入出力端末６０に検索結果を送信し、図２３の部品情報登録画面Ｇ２に表示する(図２２のＳ２５)。
【００７４】
部品情報データファイル５０４を参照した結果、該当する製品コードが存在しない場合は、図２３の部品情報登録画面Ｇ２の入力欄は「空白」とする。なお、図２３では、各入力欄に表示された場合を示している。
次に、登録者は、図２３に示すように、部品名、発注ロット、発注リードタイム、物量確定リードタイム、引取延期可能期間、発注周期、受入試験日数、部品取引先コード、フォーキャスト対象部品フラグを入力し(図２２のＳ２６)、登録ボタンをクリックする。
そうすると、入力された部品情報が送信され(図２２のＳ２７)、フォーキャスト管理装置１０は、登録者によって入力された部品情報を部品情報データファイル５０４(図６参照)に登録する(図２２のＳ２８)。
【００７５】
＜＜マスター情報管理部１１における部品取引先情報登録処理＞＞
次に、マスター情報管理部１１(図１参照)における部品取引先情報登録処理について、図２４を用いて説明する。なお、図２４は、部品取引先情報データファイル５１２(図１４参照)に登録するための部品取引先情報登録処理に関する手順を示す図である。
登録者が、入出力端末６０(図１参照)を用いて、フォーキャスト管理装置１０マスター情報管理部１１(図１参照)にログインすると、図２５に示す入力画面の部品取引先情報登録画面Ｇ３が入出力端末６０に表示される。なお、図２５は、部品取引先情報登録処理において図１の入出力端末６０に表示される部品取引先情報登録画面Ｇ３を示す図である。
【００７６】
図２５の部品取引先情報登録画面Ｇ３には、部品取引先コードの入力欄、および部品取引先名、フォーキャスト契約締結日の入力欄がある。
まず、登録者は、図１の入出力端末６０を用いて、図２５の部品取引先情報登録画面Ｇ３の部品取引先コード欄に、部品取引先コードの「Ｍ００１」等を入力(図２４のＳ３１)した後、検索ボタンをクリックする。
【００７７】
そうすると、部品取引先コードのデータが送信され(図２４のＳ３２)、フォーキャスト管理装置１０は、登録者によって入力された部品取引先コードで情報記録部５０(図１参照)の図１４の部品取引先情報データファイル５１２を参照し(図２４のＳ３３)、部品取引先名、フォーキャスト契約締結日等の検索結果を取得し(図２４のＳ３４)、入出力端末６０に送信し図２５の部品取引先情報登録画面Ｇ３に表示する(図２４のＳ３５)。
図１４の部品取引先情報データファイル５１２を参照した結果、該当する部品取引先コードが存在しない場合は、図２５の部品取引先情報登録画面Ｇ３の入力欄は空白とする。なお、図２５では、入力欄に表示された場合を示している。
【００７８】
次に、登録者は、図２５に示すように、部品取引先名、フォーキャスト契約締結日を入力し(図２４のＳ３６)、登録ボタンをクリックする。
そうすると、入力された部品取引先情報が送信され(図２４のＳ３７)、フォーキャスト管理装置１０(図１参照)は、登録者によって入力された部品取引先情報を情報記録部５０(図１、図２参照)の部品取引先情報データファイル５１２(図１４参照)に登録する(図２４のＳ３８)。
【００７９】
＜＜手配情報管理部１２における予告手配処理＞＞
次に、手配情報管理部１２(図１参照)における製品予告に関する予告手配処理について、図２６を用いて説明する。なお、図２６は、製品予告データファイル５０１(図３参照)に登録するための予告手配処理に関する手順を示す図である。
ここでは、予告者が今後の生産計画に基づく製品の予告情報を算出したことを前提にして説明する。
例えば、予告者が、図１の入出力端末６０を用いて、フォーキャスト管理装置１０の手配情報管理部１２(図１参照)にログインすると、図２７に示す入力画面の製品予告画面Ｇ４が入出力端末６０に表示される。なお、図２７は、予告手配処理において図１の入出力端末６０に表示される入力画面の製品予告画面Ｇ４を示す図である。
図２７の製品予告画面Ｇ４には、予告番号の入力欄、および製品コード、製品予告数量、製品予告要期の入力欄がある。
【００８０】
まず、登録者は、図１の入出力端末６０を用いて、図２７の製品予告画面Ｇ４の予告番号欄に、予告番号の「Ｙ００１」等を入力(図２６のＳ４１)した後、検索ボタンをクリックする。
そうすると、入力された予告番号が送信され(図２６のＳ４２)、フォーキャスト管理装置１０(図１参照)は、登録者によって入力された予告番号で情報記録部５０(図１参照)の製品予告データファイル５０１(図３参照)を参照し(図２６のＳ４３)、製品コード、製品予告数量、製品予告要期等の検索結果を取得し(図２６のＳ４４)、入出力端末６０に送信し図２７の製品予告画面Ｇ４に表示する(図２６のＳ４５)。
図３の製品予告データファイル５０１を参照した結果、該当する製品コードが存在しない場合は、図２７の製品予告画面Ｇ４の入力欄は空白とする。なお、図２７では、各入力欄に表示された場合を示している。
【００８１】
次に、予告者は、図２７に示すように、製品コード、製品予告数量、製品予告要期を入力し(図２６のＳ４６)、登録ボタンをクリックする。
そうすると、入力された製品予告情報が送信され(図２６のＳ４７)、フォーキャスト管理装置１０(図１参照)は、予告者によって入力された製品予告情報を、情報記録部５０(図１参照)の製品予告データファイル５０１(図３参照)に登録する(図２６のＳ４８)。
【００８２】
製品予告データファイル５０１への登録は、登録しようとしている予告番号が既に存在しているかどうかをチェックし(図２６のＳ４９)、登録済の場合は(図２６のＳ４９でＹes)、製品予告データファイル５０１(図３参照)、予告部品データファイル５０５(図７参照)および総必要部品データファイル５０８(図１０参照)を予告番号で参照し、該当するレコードを削除(図２６のＳ４９a)した後に、製品予告画面Ｇ４から入力した製品予告情報を登録する(図２６のＳ４９b)。
一方、図２６のＳ４９において、製品予告データファイル５０１に予告番号が既に存在していないと判断された場合は(図２６のＳ４９でＮo)、図２６のＳ４９bに移行する。
【００８３】
製品予告データファイル５０１(図３参照)に登録されたレコードは、図１の部品展開装置２０の部品表展開結果を利用し、図７の予告部品データファイル５０５に登録される。
さらに、予告部品データファイル５０５に登録されたレコードは、後述する処理にて製品手配時に作成される図９の手配部品データファイル５０７と結合され、図１０の総必要部品データファイル５０８に登録される。
【００８４】
＜＜手配情報管理部１２における製品手配処理＞＞
次に、製品手配データファイル５０６(図８参照)に登録するための手配情報管理部１２(図１参照)における製品手配処理について、図２８を用いて説明する。なお、図２８は、製品手配データファイル５０６(図８参照)に登録するための製品手配処理に関する手順を示す図である。
例えば、手配者が、図１の入出力端末６０を用いて、フォーキャスト管理装置１０の手配情報管理部１２(図１参照)にログインすると、図２９に示す入力画面の製品手配画面Ｇ５が入出力端末６０に表示される。なお、図２９は、製品手配処理において図１の入出力端末に表示される入力画面の製品手配画面Ｇ５を示す図である。
【００８５】
図２９の製品手配画面Ｇ５には、予告番号の入力欄、手配番号の入力欄、および製品コード、製品手配数量、製品手配要期の入力欄がある。
まず、手配者は、図１の入出力端末６０を用いて、図２９の製品手配画面Ｇ５の予告番号欄に前もって予告していた予告番号の「Ｙ００１」等を入力(図２８のＳ５１)した後、検索ボタンをクリックする。
【００８６】
そうすると、入力された予告番号が送信され(図２８のＳ５２)、図１のフォーキャスト管理装置１０は、登録者によって入力された予告番号で情報記録部５０(図１、図２参照)の図３の製品予告データファイル５０１を参照し(図２８のＳ５３)、製品コード、製品予告数量、製品予告要期等の検索結果を取得し(図２８のＳ５４)、入出力端末６０に送信し製品手配画面Ｇ５の製品コード、製品手配数量、製品手配要期欄へ表示する(図２８のＳ５５)。
図３の製品予告データファイル５０１を参照した結果、該当する製品コードが存在しない場合は、図２９の製品手配画面Ｇ５の入力欄は空白とする。なお、図２９では、各入力欄に表示された場合を示している。
【００８７】
次に、手配者は、表示された製品コード、製品手配数量、製品手配要期を確認し、変更がある場合、図２９に示すように、各項目を修正する。さらに、製品手配画面の手配番号欄に、手配番号の「Ｔ００１」等を入力(図２８のＳ５６)した後、登録ボタンをクリックする。
そうすると、入力された製品手配情報が送信され(図２８のＳ５７)、図１のフォーキャスト管理装置１０は、手配者によって入力された製品手配情報を情報記録部５０(図１、図２参照)の製品手配データファイル５０６(図８参照)に登録する(図２８のＳ５８)。
さらに、図３の製品予告データファイル５０１を予告番号で参照し登録済みか否かチェックし(図２８のＳ５９)、予告番号が既に存在していれば(図２８のＳ５９でＹes)、製品予告データファイル５０１、予告部品データファイル５０５(図７参照)および総必要部品データファイル５０８(図１０参照)を予告番号で参照し、該当するレコードを削除する(図２８のＳ５９a)。
【００８８】
図８の製品手配データファイル５０６に登録されたレコードは、部品展開装置２０(図１参照)の部品表展開結果を利用し、図９の手配部品データファイル５０７に登録される。
さらに、手配部品データファイル５０７に登録されたレコードは、前記した予告部品データファイル５０５(図７参照)と結合され、総必要部品データファイル５０８(図１０参照)に登録される(図２８のＳ５９b)。
一方、図２８のＳ５９において、予告番号が既に存在していない場合 (図２８のＳ５９でＮｏ)、図２８のＳ５９bに移行する。
【００８９】
＜＜フォーキャスト数量管理部１３における発注処理＞＞
次に、フォーキャスト数量管理部１３(図１参照)における発注処理について説明する。
発注処理を行う場合、まず、発注必要数の算出が行われる。以下の発注処理は、フォーキャスト数量管理部１３のプログラムが実行されて、処理が行われる。
発注処理は、例えば、毎日、スケジュールにより定めた時間に行うものとする。発注必要数は、図１３の部品不足数量データファイル５１１を作成し、部品不足数量データファイル５１１の不足数量（ロット計算前）発注予定数量が設定されたレコードを抽出することにより求めることができる。
【００９０】
抽出したレコードは、図６の部品情報データファイル５０４で定義した発注周期に基づき、周知の技術により部品取引先へ発注し、発注したレコードは、図１２の発注情報データファイル５１０へ登録する。
また、発注した部品コードでフォーキャストの図１９のフォーキャスト引取責任データファイル５１７を参照し、引取責任があるレコードが存在する場合は、相殺処理を行う。
【００９１】
＜＜フォーキャスト数量管理部１３におけるフォーキャスト数算出処理＞＞
次に、フォーキャスト数量算出を行う。フォーキャスト数量算出処理は、例えば、毎週、スケジュールにより定めた曜日の時間に行うものとする。フォーキャスト数算出処理は、フォーキャスト数量管理部１３の該当プログラムを実行して行われる。
【００９２】
フォーキャスト数算出処理は、まず、前記した部品不足数量データファイル５１１(図１３参照)を作成する。次に、図１５の週割部品不足数量データファイル５１３、図１６の発注ロット計算用データファイル５１４、図１７のフォーキャスト詳細情報データファイル５１５および図１８のフォーキャスト情報データファイル５１６を作成する。
また、図１９の前記したフォーキャスト引取責任データファイル５１７の登録を行う。
【００９３】
＜＜フォーキャスト公開＞＞
次に、フォーキャスト提示部１４(図１参照)における部品取引先向けフォーキャスト提示について説明する。以下の部品取引先向けフォーキャスト提示の処理は、フォーキャスト提示部１４に対応するプログラムが実行されることにより行われる。
【００９４】
例えば、部品取引先が、図１の入出力端末８１を用いて、または、部品の発注元が、図１の入出力端末６０を用いて、フォーキャスト管理システムＳのログイン画面(図示せず)に、それぞれ付与された自らの識別情報であるＩＤとパスワードでフォーキャスト管理装置１０のフォーキャスト提示部１４(図１参照)にログインすると、図３０に示す入力画面のフォーキャスト公開画面Ｇ６が、入出力端末８１または入出力端末６０にそれぞれ表示される。なお、図３０は、図１に示す部品取引先の入出力端末８１または発注元の入出力端末６０に表示され、フォーキャストを参照するフォーキャスト公開画面Ｇ６を示す図である。
【００９５】
図３０のフォーキャスト公開画面Ｇ６には、部品取引先コード、部品コード、発注リードタイム、物量確定リードタイム、引取延期可能期間、公開週の表示項目がある。
部品取引先に公開するデータは、図１８のフォーキャスト情報データファイル５１６のうち、ログインしたユーザの所属する部品取引先コードのみとする。
ここで、ログインできるユーザには、予め、フォーキャスト管理システムＳへのログインを許可する識別情報のＩＤとパスワードを付与し、該ＩＤとパスワードに対して情報公開するセキュリティ管理手段がプログラミングされ具備されている。
【００９６】
すなわち、部品取引先は、フォーキャスト管理システムＳのログイン画面に予め付与されたＩＤとパスワードを入力することにより、自身と取引のある部品についての情報が表示されるように、セキュリティ管理手段により、構成されている。
一方、部品の発注元は、フォーキャスト管理システムＳのログイン画面に予め付与されたＩＤとパスワードを入力することにより、全ての部品取引先コードに関する部品の情報が表示されるように、セキュリティ管理手段により、構成されている。
図３０に示すフォーキャスト公開画面Ｇ６では、部品取引先コード「Ｍ００２」の部品取引先に係わるフォーキャストが公開された場合を示している。
【００９７】
また、図３０のフォーキャスト公開画面Ｇ６に表示されている各行をクリックする等して選択することで、図３１のフォーキャスト公開詳細画面Ｇ７が表示される。なお、図３１は、図１に示す部品取引先の入出力端末８１または発注元の入出力端末６０に表示され、フォーキャスト詳細を参照するフォーキャスト公開詳細画面Ｇ７を示す図である。
フォーキャスト公開詳細画面Ｇ７で公開するデータは、選択したフォーキャスト数量の部品コードで図１７のフォーキャスト詳細情報データファイル５１５を参照したものとする。
【００９８】
＜＜フォーキャスト公開＞＞
次に、フォーキャスト公開について、図３２を参照しつつ、説明する。
なお、図３２は、フォーキャストを参照するフォーキャスト公開画面Ｇ８の８週先、１６週先、２４週先までの３通りの表示機能を示す図である。
図３２に示すフォーキャスト公開画面Ｇ８は、月単位で取引を行いたい取引先のために、８週先、１６週先、２４週先までの３通りの表示機能を持つことを特徴としている。
【００９９】
このフォーキャスト公開画面Ｇ８(図３２参照)を部品取引先が目視するに際しては、まず、図１に示す部品取引先の入出力端末８１を用いて、フォーキャスト管理システムＳのログイン画面(図示せず)において、部品取引先が付与されたＩＤとパスワードとを入力し、エンターキーを押下する。
すると、フォーキャスト管理システムＳのメニュ画面(図示せず)が表示されるので、メニュの中から、フォーキャストを選択し、エンターキーを押下する。すると、図３２に示すフォーキャストを８週先、１６週先、２４週先の何れかでみるか、またはフォーキャストを８週先、１６週先、２４週先の全てで見るかを選択するフォーキャスト期間選択画面(図示せず)が表示される。
【０１００】
例えば、部品取引先「ＡＢＣＤ」が、フォーキャストを８週先、１６週先、２４週先の全てで参照する選択肢を選ぶと、セキュリティ管理手段により、ログイン画面で入力されたＩＤとパスワードとから、自身、すなわち「部品取引先ＡＢＣＤ」から購入する部品についての図３２に示すフォーキャスト公開画面Ｇ８が入出力端末８１に表示される。
なお、フォーキャストの８週先を選択した場合には週単位の８週先までのフォーキャスト表Ｇ８ａが表示され、フォーキャストの１６週を選択した場合には週単位の１６週先までのフォーキャスト表Ｇ８ｂが表示され、フォーキャストの２４週先を選択した場合には週単位の２４週先までのフォーキャスト表Ｇ８ｃが表示される。ここで、８週先までのフォーキャスト表Ｇ８ａ、１６週先までのフォーキャスト表Ｇ８ｂ、および２４週先までのフォーキャスト表Ｇ８ｃは、ほぼ同じ構成なので、８週先までのフォーキャスト表Ｇ８ａを取り上げて説明する。
【０１０１】
図３２に示すフォーキャスト表Ｇ８ａの部品コードＧ８ａ1には、フォーキャストされる部品の部品コードが表示され、型式Ｇ８ａ2には該部品コードの部品の型式が表示される。例えば、フォーキャスト表Ｇ８ａの１行目には、部品コードＧ８ａ1が「Ｂ００３」で型式Ｇ８ａ2が「Ａ０００００３」の部品が、対象であることが示されている。
「発注予定＋実績」Ｇ８ａ3の欄は、部品のフォーキャストを表示する欄であり、発注予定の部品と実績、すなわち発注予定の部品と発注済みの部品との数量が、「遅延」、各週毎、「合計」、「注残数」等で示される。
【０１０２】
「発注予定＋実績」Ｇ８ａ3における「遅延」の欄には、現在が含まれる当週までに、発注済み部品のうちの納期を経過した未納品の部品数が表示される。例えば、フォーキャスト表Ｇ８ａの第１行目には、部品コード「Ｂ００３」の部品が、当週までに１５０個、納期を経過しても、未納品であることが表示されている。
「発注予定＋実績」Ｇ８ａ3における「当週」から「＋８週」は、「当週」から「＋８週」までの各週の発注済み部品および未発注部品のフォーキャストの数量がそれぞれ示されており、「発注予定＋実績」Ｇ８ａ3における「合計」は、「遅延」から「＋８週」までの各欄の数量の合計数量が示され、また、(注残数)は、発注済みで入荷してない部品数が示されている。
【０１０３】
図３２に示すフォーキャスト表Ｇ８ａの品名Ｇ８ａ4の欄には、該部品コードの部品の品名が表示され、図番Ｇ８ａ5は、該部品コードの部品が図示される設計図面の図面番号が表示され、また、品番Ｇ８ａ6の欄には、該部品コードの設計図面における品番が表示される。
図３２に示すフォーキャスト表Ｇ８ａの部品取引先Ｇ８ａ7の欄には、該部品コードの部品を取り扱う部品取引先名が表示され、発注Ｌ／Ｔ(リードタイム)(Ｇ８ａ8)の欄には、発注元と部品取引先間で予め定めた部品の発注日から部品納品日までの期間の日数で表される発注リードタイムが表示され、また、物量確定Ｌ／Ｔ(リードタイム)(Ｇ８ａ9)の欄には、部品をフォーキャストした日から部品の発注元に引取責任が発生する日までの期間の日数で表される物量確定のリードタイムが表示される。
【０１０４】
図３２に示すフォーキャスト表Ｇ８ａにおいては、部品取引先「ＡＢＣＤ」がログイン画面で付与されたＩＤとパスワードでログインした場合、部品取引先Ｇ８ａ7の欄に、「ＡＢＣＤ」が表示され、部品取引先「ＡＢＣＤ」が取り扱う部品についての情報が表示される。
図３２に示すフォーキャスト表Ｇ８ａの引取期間Ｇ８ａ10の欄には、引取責任が発生した部品の引取の猶予期間、すなわち引取責任が発生した部品の発注の猶予期間が日数で表示され、最小ロットＧ８ａ11の欄には、部品を引き取る際の最小購入数が表示される。
このように、部品取引先は、自身の取り扱う部品に係わるフォーキャストを、部品取引先用の入出力端末８１(図１参照)を用いて、目視することが可能である。
なお、８週先、１６週先、２４週先までの３通りの表示機能は、任意数の週先を選択して表示するようにプログラミングし構成できることは勿論であり、例示した８週先、１６週先、２４週先までの３通りの表示に限定されない。
【０１０５】
また、部品の発注元が、図１に示す入出力端末６０にフォーキャスト管理システムＳのログイン画面を表示して、発注元に付与されたＩＤとパスワードを入力して、図３２に示すフォーキャスト公開画面Ｇ８を表示した場合には、セキュリティ管理手段において入力された発注元のＩＤとパスワードが認識され、全ての部品取引先についてのフォーキャスト公開画面Ｇ８が入出力端末６０に表示される。
すなわち、フォーキャスト公開画面Ｇ８の部品取引先Ｇ８ａ7の欄に、全ての部品取引先名が行毎に表示され、全ての部品取引先に係わる部品のフォーキャストを目視することができる。
【０１０６】
＜＜フォーキャスト公開(内訳表示)＞＞
次に、内訳表示が可能なフォーキャスト公開について、図３３を参照しつつ、説明する。
部品取引先が、フォーキャストを参照する画面としては、以下の４つの種類の画面がある。
すなわち、図３３(ａ)に示す発注済みかつ未納品の部品を表す「注残」と未発注であり発注予定の部品を表す「発注予定」とを合算したものを表示し、週単位で８週先を検索したＡ．「注残」＋「発注予定」の画面Ｇ９aがある。
【０１０７】
また、図３３(ｂ)に示す発注済みの部品を表示し、週単位で８週先を検索したＢ．「注残のみ」の画面Ｇ９bがある。
また、図３３(ｃ)に示す未発注であり発注予定の部品を表示し、週単位で８週先を検索したＣ．「発注予定のみ」の画面Ｇ９cがある。
また、図３３(ｄ)に示す週単位で８週先を検索したＡ．「注残」＋「発注予定」、Ｂ．「注残のみ」、Ｃ．「発注予定のみ」を合わせた３段表示の画面Ｇ９dがある。
【０１０８】
なお、図３３は、図１の部品取引先の入出力端末８１(図１参照)に表示され、フォーキャストを参照する画面の種類を示す図であり、図３３(ａ)は、Ａ．「注残」＋「発注予定」を表示する画面Ｇ９aを示す図であり、図３３(ｂ)は、Ｂ．「注残のみ」を表示する画面Ｇ９bを示す図であり、図３３(ｃ)は、Ｃ．「発注予定のみ」表示の画面Ｇ９cを示す図であり、図３３(ｄ)は、Ａ．「注残」＋「発注予定」、Ｂ．「注残のみ」、Ｃ．「発注予定のみ」を合わせた３段表示の画面Ｇ９dを示す図である。
図３３(ａ)に示すＡ．「注残」＋「発注予定」の画面Ｇ９aにおける部品コードＧ９ａ1には、フォーキャストされる部品の部品コードが表示され、型式Ｇ９ａ2には該部品コードの部品の型式が表示される。
【０１０９】
画面Ｇ９aの表示条件Ｇ９ａ3は、Ａ．「注残」＋「発注予定」の表示条件を示すＡが表示され、「発注予定＋実績」Ｇ９ａ4の欄は、部品のフォーキャストを表示する欄であり、発注予定の部品数と実績の数の合計、すなわち発注予定の部品と発注済みの部品との合計数が、「遅延」、各週毎、「合計」、「注残数」等で示される。「発注予定＋実績」Ｇ９ａ4における「遅延」の欄には、現在が含まれる当週までに、発注済み部品のうちの納期を経過した未納品の部品数が表示される。
【０１１０】
画面Ｇ９aの品名Ｇ９ａ5の欄には、該部品コードの部品の品名が表示され、図番Ｇ９ａ6は、該部品コードの部品が図示される設計図面の図面番号が表示され、また、品番Ｇ９ａ7の欄には、該部品コードの設計図面における品番が表示される。
画面Ｇ９aの部品取引先Ｇ９ａ8の欄には、該部品コードの部品を取り扱う部品取引先名が表示され、発注Ｌ／Ｔ(リードタイム)(Ｇ９ａ9)の欄には、発注元と部品取引先間で予め定めた部品の発注日から部品納品日までの期間の日数で表される発注リードタイムが表示され、また、物量確定Ｌ／Ｔ(リードタイム)(Ｇ９ａ10)の欄には、部品をフォーキャストした日から部品の発注元に引取責任が発生する日までの期間の日数で表される物量確定リードタイムが表示される。
【０１１１】
画面Ｇ９aの引取期間Ｇ９ａ11の欄には、引取責任が発生した部品の引取の猶予期間、すなわち引取責任が発生した部品の発注の猶予期間が日数で表示される。
なお、図３３(ｂ)に示すＢ．「注残のみ」を表示する画面Ｇ９b、図３３(ｃ)に示すＣ．「発注予定のみ」表示の画面Ｇ９c、および図３３(ｄ)に示すＡ．「注残」＋「発注予定」、Ｂ．「注残のみ」、Ｃ．「発注予定のみ」を合わせた３段表示の画面Ｇ９dにそれぞれ表示される項目は、図３３(ａ)に示すＡ．「注残」＋「発注予定」を表示する画面Ｇ９aに表示される項目であるから、詳細な説明は省略する。
【０１１２】
図３３(ａ)に示すＡ．「注残」＋「発注予定」の画面Ｇ９aについては、フォーキャスト情報データファイル５１６(図１８参照)で示す数量と同じ数量が表示される。
図２に示す情報記録部５０に格納されるデータファイルの参照方法も、前記したフォーキャスト情報データファイル５１６と同様に、フォーキャスト詳細情報データファイル５１５（図１７参照）の注残（通常発注）、注残（リードタイム割れ）、発注予定を部品コードおよび公開週単位に合計した数量が表示される。
【０１１３】
図３３(ｂ)に示すＢ．「注残のみ」を表示する画面Ｇ９bについては、フォーキャスト詳細情報データファイル５１５(図１７参照)の注残（通常発注）、注残（リードタイム割れ）を部品コードおよび公開週単位に合計した数量が表示される。
図３３(ｃ)に示すＣ．「発注予定のみ」表示の画面Ｇ９cについては、フォーキャスト詳細情報データファイル５１５（図１７参照）の発注予定を部品コードおよび公開週単位に合計した数量が表示される。
【０１１４】
さらに、図３３(ｄ)に示す３段表示の画面Ｇ９dに表示される共通項目である部品取引先Ｇ９d8に示される部品取引先コード、発注Ｌ／Ｔ(リードタイム)Ｇ９d9、物量確定Ｌ／Ｔ(リードタイム)Ｇ９d10および引取延期可能期間である引取期間Ｇ９d11は、部品情報データファイル５０４(図６参照)を部品コードで参照した値が表示される。
【０１１５】
なお、図１８に示すフォーキャスト情報データファイル５１６と図１７に示すフォーキャスト詳細情報データファイル５１５とのそれぞれにおいて、前回更新内容との違い(偏差)
を示すフィールドを設けて今回更新内容と前回更新内容との差を演算し、その違い(偏差)を記録し、図３３(ａ)に示すＡ．「注残」＋「発注予定」の画面Ｇ９a、図３３(ｂ)に示すＢ．「注残のみ」を表示する画面Ｇ９b、図３３(ｃ)に示すＣ．「発注予定のみ」表示の画面Ｇ９c、および図３３(ｄ)に示す３段表示の画面Ｇ９dにおいて、前回更新内容との違い(偏差)を表示するようにしてもよい。
また、図３３においては、週単位で８週先を検索した場合を例示して説明したが、１６週先、４週単位で２４週先で検索できるようにしてもよく、検索できる単位は任意に構成できることは勿論である。
【０１１６】
＜＜まとめ＞＞
フォーキャスト管理システムは、予算情報をベースとして、発注する部品を用いる製品の受注情報、設計予告の仕様決定情報とをリアルタイムに情報収集し、それらをリアルタイムに公開し、引取責任契約、すなわち所定期間内にフォーキャストする部品は必ず発注する物量確定リードタイムを用いて各部品取引先への情報発信を行っている。
そして、部品取引先に対しての情報提示方法として、イ．当週〜８週先、ロ．当週〜１６週先、ハ．当週〜４週単位に２４週先、ニ．これらの全パターン(イ、ロ、ハ)と４種の形態を有し、部品取引先が、業務形態にあわせ自由に選択でき、また、そのデータを出力できる特徴がある。そのため、管理業務の円滑化が図れる。
【０１１７】
また、部品取引先および部品の発注元は、図３３(ａ)に示すＡ．「注残」＋「発注予定」の画面Ｇ９aのフォーキャスト情報を目視できるのに加え、Ａ．「注残」＋「発注予定」の画面Ｇ９aの内訳である図３３(ｂ)に示すＢ．「注残のみ」を表示する画面Ｇ９bと図３３(ｃ)に示すＣ．「発注予定のみ」表示の画面Ｇ９cとの何れかを選択して目視でき、また、部品のフォーキャスト情報が、一括表示される図３３(ｄ)に示すＡ．「注残」＋「発注予定」、Ｂ．「注残のみ」、Ｃ．「発注予定のみ」の３段表示の画面Ｇ９dを自由に選択して目視するできる。
【０１１８】
そのため、発注予定だった部品が発注済みに変更になった場合、急に部品の発注が行われフォーキャストの部品数が急に増えた場合、発注済みの部品の納期が早まった場合等の状況の変化に応じて、部品取引先および発注元が、図３３(ａ)に示すＡ．「注残」＋「発注予定」の画面Ｇ９aから、必要に応じてＡ．「注残」＋「発注予定」の画面Ｇ９aの内訳である図３３(ｂ)に示すＢ．「注残のみ」を表示する画面Ｇ９bおよび図３３(ｃ)に示すＣ．「発注予定のみ」表示の画面Ｇ９cを目視できるため、部品取引先および部品の発注元が、情報収集のタイミングにあわせて検索することが可能である。
加えて、図３３(ｄ)に示す３段表示の画面Ｇ９dで、部品のフォーキャスト情報を一括して目視できるので、使い勝手が良く、より精度が高い日程管理を実現できる。
【０１１９】
また、フォーキャスト検索結果の全ての数値が、０（ゼロ）のアイテムに限り、非表示とする機能を持たせ、管理データの厳選化を図っており、必要なデータのみを検索する。
そして、前回更新日との数値変動を「識別表示」し、アラーム管理のビジュアル化を実施し、更に詳細な内容を別画面にて検索可能とすることで、情報精度向上を図っている。
また、表示数値は全て部品取引先との契約済みミニマムロット、すなわち最低購入数の倍数で表示しており、各部品取引先が問題無く取り込める数値で表示することにより、管理工数を削減している。
【０１２０】
また、検索画面の背景を、図１７、図１８、図３１のフォーキャスト情報において、「要期(納期)に対する遅延＝ピンク」(図示せず)、「発注＝黄色」、「物量確定＝水色」、「公開のみ＝白」と色分けしてビジュアル化し、視的管理を容易にできるように構成している。このように、フォーキャストに色分け表示することにより、発注周期に則った発注リードタイム（注文発行）の１回の発注となるため発注書が簡素化される。
【０１２１】
この構成によれば、発注済み情報＋発注予定情報(物量確定：発注することが確定されていること)＋今後の部品発注に係る状況を全て必要とする場合と、発注予定情報＋今後の部品発注に係る状況のみ必要とする場合と、発注済み情報のみ必要とする場合と、これらの全ての情報を必要とする場合とについて、情報収集のタイミングにあわせて、適宜所望の情報を目視できる。
そのため、フォーキャストされた部品を使用する製品が異なる、新たにフォーキャストされた部品がある等、取り扱う部品の生産背景が多種多様で異なる場合にも、部品取引先に対して生産背景に適した部品のフォーキャスト情報を提供し、部品調達期間の無駄を排除できる。
【０１２２】
また、正式注文を手配する以前に引取責任が発生する期間を定めた物量確定リードタイムという期間を設定し、それを内示とし、正式注文は最短の発注リードタイムをもってミニマム数で手配することをルール化し、その情報は通信ネットワーク８０を介して行うことができる。
それ故、部品の発注元は引取責任が発生する期間の物量確定リードタイムの期限を基に、必要数の製品のみ生産に着手が出来るようになり、部品の発注リードタイムの確保及び該部品を用いる製品の過剰生産のリスクを回避することが可能である。
【０１２３】
また、部品の発注元は、引取責任が発生する物量確定リードタイムの期限を内示しているため、正式注文は、最短の発注リードタイムで発注が可能である。すなわち、実質的な調達リードタイムを短縮することができ、部品在庫を低減できる。
これにより、納入時期は、生産日に限りなく近い日時に決定することが出来る。
従って、部品不足による発注リードタイム割れから発生する部品取引先や内部関係部署との日程再調整などの管理工数増加を大幅削減することができ、納期遵守率が向上する。
【０１２４】
また、完成製品毎に製品コードを用い、その製品を構成する部品の部品コードを識別している。
そのため、部品の発注元が製品コードで絞り込んで部品の情報を部品取引先に提供し、部品取引先はその部品のフォーキャスト情報を目視できるので、例えば、発注元から部品取引先が重要製品と注意を喚起された製品に使用される部品に関するフォーキャストを、部品取引先が、入出力端末８１(図１参照)を用いて、自らその部品を検索して目視できる。
従って、部品取引先が納める部品の納期遵守が確実化される。
上述のことから、部品の発注リードタイムの短縮化および部品在庫の削減が促進できる。
なお、特許請求の範囲に記載した部品とは、製品を構成する半製品を含むものである。
【産業上の利用可能性】
【０１２５】
顧客仕様が個別に発生するような生産体系において、顧客が要求する製品リードタイムと比べ製品を構成する部品の発注リードタイムが大きい場合には、発注リードタイムの短縮が不可欠であり、その手段として部品取引先へ対しフォーキャストの提示が必要である。
しかしながら、その部品の発注リードタイムを短縮し、部品購入を含めた製品製作リードタイムを短縮するのは、部品取引先頼みになってしまうという問題点がある。この問題点を解決するために、本発明に係わるビジネスモデルを適用する可能性がある。
【図面の簡単な説明】
【０１２６】
【図１】本発明に係わる実施形態のフォーキャスト管理システムのフォーキャスト管理装置を含む全体構成を示すブロック図である。
【図２】実施形態の情報記録部の構成を示す概念的構成図である。
【図３】実施形態の製品予告データファイルの構成を示す図である。
【図４】実施形態の製品部品表データファイルの構成を示す図である。
【図５】実施形態の製品製作情報データファイルの構成を示す図である。
【図６】実施形態の部品情報データファイルの構成を示す図である。
【図７】実施形態の予告部品データファイルの構成を示す図である。
【図８】実施形態の製品手配データファイルの構成を示す図である。
【図９】実施形態の手配部品データファイルの構成を示す図である。
【図１０】実施形態の総必要部品データファイルの構成を示す図である。
【図１１】実施形態の在庫データファイルの構成を示す図である。
【図１２】実施形態の発注情報データファイルの構成を示す図である。
【図１３】実施形態の部品不足数量データファイルの構成を示す図である。
【図１４】実施形態の部品取引先情報データファイルの構成を示す図である。
【図１５】実施形態の週割部品不足数量データファイルの構成を示す図である。
【図１６】実施形態の発注ロット計算用データファイルの構成を示す図である。
【図１７】実施形態の図２に示したフォーキャスト詳細情報データファイルの構成を示す図である。
【図１８】実施形態のフォーキャスト情報データファイルの構成を示す図である。
【図１９】実施形態のフォーキャスト引取責任データファイルの構成を示す図である。
【図２０】製品製作情報データファイルに登録するための製品製作情報の登録処理に関する手順を示す図である。
【図２１】製品製作情報の登録処理において入出力端末に表示される入力画面の製品製作情報登録画面を示す図である。
【図２２】部品情報データファイルに登録するための部品情報の登録処理に関する処理手順を示す図である。
【図２３】部品情報の登録処理において入出力端末に表示される入力画面の部品情報登録画面を示す図である。
【図２４】部品取引先情報データファイルに登録するための部品取引先情報登録処理に関する手順を示す図である。
【図２５】部品取引先情報登録処理において図１に示した入出力端末に表示される部品取引先情報登録画面を示す図である。
【図２６】製品予告データファイルに登録するための予告手配処理に関する手順を示す図である。
【図２７】予告手配処理において入出力端末に表示される製品予告画面を示す図である。
【図２８】製品手配データファイルに登録するための製品手配処理に関する手順を示す図である。
【図２９】製品手配処理において入出力端末に表示される入力画面の製品手配画面を示す図である。
【図３０】フォーキャストを参照するフォーキャスト公開画面を示す図である。
【図３１】フォーキャスト詳細を参照するフォーキャスト公開詳細画面を示す図である。
【図３２】フォーキャストを参照するフォーキャスト公開画面の８週先、１６週先、２４週先までの３通りの表示機能を示す図である。
【図３３】(ａ)は、Ａ．「注残」＋「発注予定」を表示する画面を示す図であり、(ｂ)は、Ｂ．「注残のみ」を表示する画面を示す図であり、(ｃ)は、Ｃ．「発注予定のみ」表示の画面を示す図であり、(ｄ)は、Ａ．「注残」＋「発注予定」、Ｂ．「注残のみ」、Ｃ．「発注予定のみ」を合わせた３段表示の画面を示す図である。
【符号の説明】
【０１２７】
１０    フォーキャスト管理装置(未発注情報提示手段、実注文情報提示手段、公開手段、コンピュータ)、
１４    フォーキャスト提示部(未発注情報提示手段、実注文情報提示手段、公開手段)、
２０    部品展開装置(未発注情報提示手段)、
３０    在庫管理装置(未発注情報提示手段、実注文情報提示手段)、
４０    購入品管理装置(実注文情報提示手段)、
５０    情報記録部(未発注情報提示手段、実注文情報提示手段、記憶手段)、
６０    部品の発注元の入出力端末(公開手段)、
７０    通信ネットワーク(公開手段)、
８０    通信ネットワーク(公開手段)、
８１    部品取引先の入出力端末(公開手段)
Ｓ      フォーキャスト管理システム
【図１】
2010061317.tif 000003
【図２】
2010061317.tif 000004
【図３】
2010061317.tif 000005
【図４】
2010061317.tif 000006
【図５】
2010061317.tif 000007
【図６】
2010061317.tif 000008
【図７】
2010061317.tif 000009
【図８】
2010061317.tif 000010
【図９】
2010061317.tif 000011
【図１０】
2010061317.tif 000012
【図１１】
2010061317.tif 000013
【図１２】
2010061317.tif 000014
【図１３】
2010061317.tif 000015
【図１４】
2010061317.tif 000016
【図１５】
2010061317.tif 000017
【図１６】
2010061317.tif 000018
【図１７】
2010061317.tif 000019
【図１８】
2010061317.tif 000020
【図１９】
2010061317.tif 000021
【図２０】
2010061317.tif 000022
【図２１】
2010061317.tif 000023
【図２２】
2010061317.tif 000024
【図２３】
2010061317.tif 000025
【図２４】
2010061317.tif 000026
【図２５】
2010061317.tif 000027
【図２６】
2010061317.tif 000028
【図２７】
2010061317.tif 000029
【図２８】
2010061317.tif 000030
【図２９】
2010061317.tif 000031
【図３０】
2010061317.tif 000032
【図３１】
2010061317.tif 000033
【図３２】
2010061317.tif 000034
【図３３】
2010061317.tif 000035